(57)【要約】【課題】様々なチャンネル数に対応した出力が可能な音響装置を提供することを目的とする。【解決手段】音響ソースからのオーディオ信号を再生して出力する音響装置１であって、オーディオ信号を増幅するアンプブロックＡｍｐ２の入力に、オーディオ信号と、所定の電圧を出力する基準電圧源Ｖからの出力電圧とのいずれかを接続するスイッチＳＷを配設し、アンプブロックＡｍｐ２をレギュレータとして使用可能に構成している。【選択図】      図１
2004297541.tif 000002
【特許請求の範囲】
【請求項１】
音響ソースからのオーディオ信号を再生して出力する音響装置であって、
前記オーディオ信号を増幅するアンプ回路と、
所定の電圧を出力する基準電圧源と、
前記アンプ回路の入力に前記オーディオ信号と前記基準電圧源からの出力電圧とのいずれかを接続する接続切替スイッチと
を備えたことを特徴とする音響装置。
【請求項２】
前記接続切替スイッチは、全体の動作を制御する制御手段からの接続切替信号によって前記オーディオ信号と前記基準電圧源からの出力電圧とのいずれかを接続することを特徴とする請求項１記載の音響装置。
【請求項３】
前記基準電圧源は、複数の基準電圧を出力可能であって、全体の動作を制御する制御手段からの電圧切替信号によって出力電圧が変更されることを特徴とする請求項１記載の音響装置。
【請求項４】
音響ソースからのオーディオ信号を増幅して複数のスピーカを駆動する複数のアンプ回路と、
所定の電圧を出力する基準電圧源とを備え、
前記複数のアンプ回路の少なくとも１つのアンプ回路に前記基準電圧源からの出力電圧を入力させたことを特徴とする音響装置。
【請求項５】
前記複数のアンプ回路のうち少なくとも１のアンプ回路はＢＴＬ接続された２のアンプを含み、当該２のアンプのうち少なくとも１のアンプが前記基準電圧源からの出力電圧を入力されたことを特徴とする請求項４記載の音響装置。
【請求項６】
音響ソースからのオーディオ信号を増幅して複数のスピーカを駆動する複数のアンプ回路と、
所定の電圧を出力する基準電圧源と、
前記アンプ回路の入力に前記オーディオ信号と前記基準電圧源からの出力電圧とのいずれかを接続する接続切替スイッチとを備えたことを特徴とするアンプＩＣ。
【請求項７】
前記接続切替スイッチは、前記複数のアンプ回路のうち少なくとも１のアンプ回路の入力を前記基準電圧源に接続することを特徴とする請求項６記載のアンプＩＣ。
【請求項８】
前記基準電圧源は、複数の基準電圧を出力可能であることを特徴とする請求項６記載のアンプＩＣ。
【発明の詳細な説明】
【０００１】
【発明の属する技術分野】
本発明は、音響装置等に関し、より詳しくはマルチ出力が可能なアンプを備えた音響装置等に関する。
【０００２】
【従来の技術】
従来、オーディオ装置や映像装置等における音響を出力する音響装置においては、４チャンネル分のパワーアンプ回路がプリアンプとともに１つのチップに集積回路化されて構成されている。これにより、音響装置では、各種ソースより得られるオーディオ信号をこのようなチップによる集積回路に入力し、プリアンプを介してこのオーディオ信号を各パワーアンプ回路に振り分け、さらにパワーアンプ回路によりスピーカを駆動するように構成されている。
さらに近年、この種の音響装置においては、高出力化、高集積化に伴い、各部に電源を供給する音響装置全体の電源回路もパワーアンプ回路やプリアンプとともに集積回路化されたものが開発されている。
【０００３】
ここで、従来技術として、プリアンプとパワーアンプ回路とが電源回路と共に集積回路化された技術が存在する（例えば、特許文献１参照）。
【０００４】
【特許文献１】
特開２００２−２４７６８０号公報（第３−４頁、図１）
【０００５】
【発明が解決しようとする課題】
ところで、現在車載用の音響装置としては４チャンネルが主流であるが、近年マルチスピーカが普及しており、車載用も含めた一般の音響装置において、４チャンネルから５チャンネル、６チャンネルに対する需要は大きくなる傾向にある。またレギュレータを搭載したオーディオアンプも普及してきている。
しかしながら、レギュレータを内蔵したアンプが１つのチップに集積される集積回路（アンプＩＣ）にてマルチ出力化が進んだ場合には、例えば５チャンネル用、６チャンネル用といった出力数に合わせたＩＣのラインナップを揃える必要が生じる。このように、ＩＣのラインナップが増加すると、一品種当たりの単価が高くなるとともに、ＩＣの少量多品種化に伴って需要と供給とのバランスを調整する必要も生じ、生産管理も煩雑なものとなる。
【０００６】
なお、上記の特許文献１に記載された技術では、アンプＩＣには、プリアンプと４チャンネル用のパワーアンプと、さらには電源回路としてパワーアンプ用電源回路、オーディオ信号処理回路の駆動用電源回路、機構駆動用電源回路、マイコン用電源回路が実装されているが、例えば５チャンネル用、６チャンネル用に用いる場合には、それぞれに対応させたアンプＩＣを設計する必要がある。
【０００７】
そこで本発明は、このような技術的課題に基づいてなされたものであり、その目的とするところは、マルチ出力化に対応して様々なチャンネル数に対応した出力が可能な音響装置を提供することにある。
【０００８】
【課題を解決するための手段】
かかる目的のもと、本発明の音響装置は、音響ソースからのオーディオ信号を再生して出力する音響装置であって、オーディオ信号を増幅するアンプ回路の入力に、オーディオ信号と、所定の電圧を出力する基準電圧源からの出力電圧とのいずれかを接続することを特徴としている。また、全体の動作を制御する制御手段からの接続切替信号によって、アンプ回路の入力にオーディオ信号と基準電圧源からの出力電圧とのいずれかを接続することを特徴とすることができる。さらに、基準電圧源は、複数の基準電圧を出力可能であって、全体の動作を制御する制御手段からの電圧切替信号によって出力電圧が変更されることを特徴とすることができる。
【０００９】
また、本発明の音響装置は、音響ソースからのオーディオ信号を増幅して複数のスピーカを駆動する複数のアンプ回路と、所定の電圧を出力する基準電圧源とを備え、複数のアンプ回路の少なくとも１つのアンプ回路に基準電圧源からの出力電圧を入力させたことを特徴としている。ここで、複数のアンプ回路のうち少なくとも１のアンプ回路はＢＴＬ接続された２のアンプを含み、この２のアンプのうち少なくとも１のアンプが基準電圧源からの出力電圧を入力されたことを特徴とすることができる。
【００１０】
また、本発明をアンプＩＣとして捉え、音響ソースからのオーディオ信号を増幅して複数のスピーカを駆動する複数のアンプ回路の入力に対し、オーディオ信号と、所定の電圧を出力する基準電圧源からの出力電圧とのいずれかを接続することを特徴としている。さらに、複数のアンプ回路のうち少なくとも１のアンプ回路の入力を基準電圧源に接続することを特徴とすることができる。また、基準電圧源は、複数の基準電圧を出力可能であることを特徴とすることもできる。
【００１１】
【発明の実施の形態】
以下、添付図面に示す実施の形態に基づいて本発明について詳細に説明する。図１に示すものは、本実施の形態における音響装置を説明する図である。この音響装置１は、５チャンネルの出力が可能なアンプＩＣ（Ｉｎｔｅｇｒａｔｅｄ  Ｃｉｒｃｕｉｔ）１０、アンプＩＣ  １０によって増幅された信号をサウンドとして出力する５つのスピーカＳＰ１、ＳＰ２、ＳＰ３、ＳＰ４、ＳＰ５、テレビジョン放送やラジオ放送等の電波信号を受信して再生して出力するチューナ部２０、ＣＤ（Ｃｏｍｐａｃｔ  Ｄｉｓｋ）やＭＤ（Ｍｉｎｉ  Ｄｉｓｋ）等の記録媒体からオーディオデータ等の各種データを再生して出力するオーディオ部３０、テレビジョン放送を放映したり、ＣＤプレーヤ等の動作状況を表示する表示部４０、ＣＤプレーヤやＭＤプレーヤ等の駆動部を駆動する機構駆動部５０、音響装置１の動作を制御するマイコン制御部６０、アンプＩＣ  １０に電力を供給する電源７０を備えている。
【００１２】
スピーカＳＰ１、ＳＰ２、ＳＰ３、ＳＰ４、ＳＰ５は、例えば車載される場合には、スピーカＳＰ１が車内の前部右側（ＦＲ）、スピーカＳＰ２が前部左側（ＦＬ）、スピーカＳＰ３が後部右側（ＲＲ）、スピーカＳＰ４が後部左側（ＲＬ）、そしてスピーカＳＰ５が前部中央（ＦＣ）にそれぞれ配設されている。このように、従来の４チャンネルに加えて、前部中央に所謂センタースピーカＳＰ５を配設することによって、より臨場感のあるサウンドを再生することができる。
【００１３】
チューナ部２０は、アンテナ２１からＡＭ放送やＦＭ放送等のラジオ放送を受信するラジオ受信機、またはＶＨＦ放送、ＵＨＦ放送やＢＳ放送を受信するテレビジョン受信機等で構成されている。ラジオ受信機またはテレビジョン受信機が受信した信号は、信号処理回路によって処理されて、オーディオ信号（音声信号）はアンプＩＣ  １０に送信され、映像信号は表示部４０に送信される。
【００１４】
オーディオ部３０は、ＣＤプレーヤやＭＤプレーヤ、さらにはカセットテープデッキ等の音響再生装置、またＤＶＤ（Ｄｉｇｉｔａｌ  Ｖｅｒｓａｔｉｌｅ  Ｄｉｓｋ）プレーヤ等の映像再生装置、さらにはハードディスク、ＣＤ−ＲＯＭ（ＣＤ−Ｒｅａｄ  Ｏｎｌｙ  Ｍｅｍｏｒｙ）等の記録媒体からデータを読み出すための記録媒体駆動装置等により構成されている。音響再生装置、映像再生装置や記録媒体駆動装置等から出力された信号は信号処理回路によって処理されて、オーディオ信号はアンプＩＣ  １０に送信され、映像信号は表示部４０に送信される。
【００１５】
表示部４０は、液晶表示装置等により構成されており、チューナ部２０のテレビジョン受信機からの映像を表示したり、オーディオ部３０の映像再生装置や記録媒体駆動装置等から出力された映像情報を表示したり、チューナ部２０やオーディオ部３０等の現在の操作対象の表示や操作対象の現在の制御量等の表示を行う。
さらには、例えば音響装置１がカーナビゲーション装置の一部として使用されることも可能であり、この場合には、マイコン制御部６０が処理する地図データや案内データに基づく交差点拡大図画面、分岐点拡大図画面、走行中の現経路や新たに探索した経路、各経路における目的地に関する情報、目的地名、時刻、距離、進行方向矢印等を表示する。
【００１６】
また表示部４０は、例えば車載の場合には、運転席近傍のインストルメントパネルに設置されており、運転者はこれを見ることにより、操作対象の表示や操作対象の現在の制御量等の各種情報を把握することができる。さらに、表示部４０の表示画面にタッチパネル、タッチスクリーン等を含むタブレットを使用し、画面に触れることで操作対象の変更や操作対象の制御量の変更等の各種入力を行えるように構成した操作入力部を兼用してもよい。
【００１７】
機構駆動部５０は、オーディオ部３０のＣＤプレーヤやＭＤプレーヤ、さらにはＤＶＤプレーヤや記録媒体駆動装置等におけるスピンドルモータおよび光ピックアップのサーボ機構、ローディング機構、またカセットテープデッキにおけるテープ走行、ローディング機構等の駆動回路で構成されている。
【００１８】
マイコン制御部６０は、この音響装置１の全体の動作を制御するコントローラであり、各種の音響ソースおよび映像ソースの状態を記憶して全体の動作を制御する機能を有している。すなわちマイコン制御部６０は、例えばチューナ部２０におけるフロントエンドのシンセサイザを制御してユーザの所望するチャンネルを受信できるようにする。またＣＤやＭＤ、ＤＶＤ等のＴＯＣ（Ｔａｂｌｅ  Ｏｆ  Ｃｏｎｔｅｎｔｓ）のデータ等を取得して保持し、このＴＯＣのデータに応じて機構駆動部５０を制御し、これによりユーザの所望するオーディオ信号や映像信号を再生できるようにする。
【００１９】
次に、アンプＩＣ  １０について説明する。アンプＩＣ  １０は、チューナ部２０およびオーディオ部３０から出力されたオーディオ信号を受信してこれを増幅し、５つのスピーカＳＰ１、ＳＰ２、ＳＰ３、ＳＰ４、ＳＰ５を駆動することができる。
図２は、アンプＩＣ  １０の構造を説明するブロック図である。アンプＩＣ  １０では、５つのスピーカＳＰ１〜ＳＰ５のそれぞれを駆動するアンプ回路ＣＨ１、ＣＨ２、ＣＨ３、ＣＨ４、ＣＨ５、アンプ回路ＣＨ１〜ＣＨ５の駆動用電源を生成するアンプ用電源回路１０Ａ、チューナ部２０の駆動用電源を生成するチューナ用電源回路１０Ｂ、オーディオ部３０の駆動用電源を生成するオーディオ用電源回路１０Ｃ、マイコン制御部６０の駆動用電源を生成するマイコン制御部用電源回路１０Ｄ、機構駆動部５０の駆動用電源を生成する機構駆動部用電源回路１０Ｅが集積されて実装されている。
【００２０】
アンプ用電源回路１０Ａ、チューナ用電源回路１０Ｂ、オーディオ用電源回路１０Ｃ、マイコン制御部用電源回路１０Ｄ、機構駆動部用電源回路１０Ｅには、電源７０から例えば１４．４Ｖが供給され、それぞれの電源回路１０Ａ〜１０Ｅにおいて必要な電圧に降圧される。
【００２１】
そして、アンプ用電源回路１０Ａからはアンプ回路ＣＨ１〜ＣＨ５にそれぞれ電源ラインが接続され、電源７０からの直流電圧がそのまま供給される。同様に、チューナ用電源回路１０Ｂからはチューナ部２０に電源ラインが接続され、直流電圧例えば９Ｖが供給される。また、オーディオ用電源回路１０Ｃからはオーディオ部３０に電源ラインが接続され、直流電圧例えば９Ｖが供給される。マイコン制御部用電源回路１０Ｄからはマイコン制御部６０に電源ラインが接続され、直流電圧例えば５Ｖが供給される。機構駆動部用電源回路１０Ｅからは機構駆動部５０に電源ラインが接続され、直流電圧例えば６Ｖが供給される。
一方、アンプ回路ＣＨ１〜ＣＨ５には、チューナ部２０およびオーディオ部３０から出力されたオーディオ信号がそれぞれ入力される。
【００２２】
図３は、アンプ回路ＣＨ１〜ＣＨ５のうち、アンプ回路ＣＨ５を除くアンプ回路ＣＨ１〜ＣＨ４の構成を説明する基本図であり、一例としてアンプ回路ＣＨ１の構成を示している。図３に示したように、アンプ回路ＣＨ１〜ＣＨ４は、３つのアンプブロックＡｍｐ１、Ａｍｐ２、Ａｍｐ３によって主に構成されている。
まず、アンプブロックＡｍｐ１は、入力されたオーディオ信号の信号電圧を増幅するために使用され、一例として車載用に用いる場合には一般に２０ｄＢのゲインが得られる。そして、アンプブロックＡｍｐ２およびアンプブロックＡｍｐ３に対して、それぞれ位相が反転した信号を出力する。
【００２３】
アンプブロックＡｍｐ２とアンプブロックＡｍｐ３とは、アンプブロックＡｍｐ１からの２つの逆相の出力に対してブリッジ接続されたＢＴＬ（Ｂｒｉｄｇｅｄ  Ｔｒａｎｓｌｅｓｓ）構造が採用されている。このように構成することによって、理論的には出力電圧が２倍になるため、４倍の出力電力を得ることができるので、強力なパワーアンプを構成することができる。よって最終的にトータルゲインは２６ｄＢになる。
また、アンプブロックＡｍｐ２とアンプブロックＡｍｐ３は、アンプブロックＡｍｐ１から差動出力されたオーディオ信号を低出力インピーダンスで出力するバッファ機能を有する出力段アンプとして作用する。
なお、アンプブロックＡｍｐ２とアンプブロックＡｍｐ３には、負帰還増幅回路を構成する抵抗Ｒ２、Ｒ３がそれぞれ接続されている。
【００２４】
次に、アンプ回路ＣＨ５の構成について説明する。図４は、アンプ回路ＣＨ５の構成を説明する図である。図４に示したように、アンプ回路ＣＨ５は、３つのアンプブロックＡｍｐ１、Ａｍｐ２、Ａｍｐ３と、可変の基準電圧源Ｖと、アンプブロックＡｍｐ１とＡｍｐ２との間において、アンプブロックＡｍｐ１とＡｍｐ２との接続と、アンプブロックＡｍｐ２と基準電圧源Ｖとの接続とのいずれかを選択するスイッチＳＷとによって主に構成されている。
【００２５】
アンプ回路ＣＨ５においては、アンプブロックＡｍｐ１によって増幅されたオーディオ信号は、アンプブロックＡｍｐ３のみに出力されるＳＥＰＰ  Ａｍｐ（Ｓｉｎｇｌｅ  Ｅｎｄ  Ｐｕｓｈ  Ｐｕｌｌ  Ａｍｐ）が構成されている。アンプ回路ＣＨ５によって駆動されるセンタースピーカＳＰ５は、スピーカの配置構成の中で前部中央（ＦＣ）に配置されており、例えば人物の声がもっぱら音響装置１の配置されたコンソールパネルの前面から聞こえてくるような効果を主に生じさせるスピーカであるため、大きな出力を必要としない。このため、ＳＥＰＰ  Ａｍｐ構成で充分な出力を得ることが可能である。
【００２６】
そしてアンプ回路ＣＨ５においては、マイコン制御部６０（図１参照）からのバス信号によって、スイッチＳＷはアンプブロックＡｍｐ２と基準電圧源Ｖとを接続している。すなわち、スピーカＳＰ５を駆動するアンプは、アンプブロックＡｍｐ３のみで構成されるＳＥＰＰ  Ａｍｐで十分であるので、スピーカＳＰ５を駆動するアンプとして使用されないアンプブロックＡｍｐ２の入力端子に可変の基準電圧源Ｖを接続して、アンプブロックＡｍｐ２をレギュレータとして使用するように構成したものである。
なお、アンプブロックＡｍｐ２と基準電圧源Ｖとの接続は、スイッチＳＷをバス信号によって切り替える方式だけでなく、アンプＩＣ  １０内の端子を直接接続するように設定することも可能である。
【００２７】
アンプブロックＡｍｐ２は、高入力インピーダンスかつ低出力インピーダンスのバッファ機能を有するため、アンプブロックＡｍｐ２の入力端子に、基準電圧源Ｖを接続することによって、出力側の負荷が変わったときの出力電圧の変動を最小限に抑えることができ、また入力電圧が変動しても出力電圧の変動を最小限に抑えて安定電圧を供給するレギュレータとしての機能を果たすことが可能である。
このため、入力端子に基準電圧源Ｖが接続されたアンプブロックＡｍｐ２からの出力は、表示部４０に接続されて表示部４０の電源として使用することが可能となるので、増幅器として使用しないアンプ出力を有効利用することができる。
【００２８】
ここで、基準電圧源Ｖについて説明する。基準電圧源Ｖは、例えば図５に示すように、ツェナーダイオードＤ１、Ｄ２、Ｄ３、Ｄ４が直列に接続され、それぞれのツェナーダイオードＤ１〜Ｄ４には逆方向に電圧が印加されるように構成されている。すなわち、ツェナーダイオードＤ１のカソード端子が抵抗Ｒｖを介してアンプ用電源回路１０Ａに接続され、ツェナーダイオードＤ１のゲート端子が次段のツェナーダイオードＤ２のカソード端子に接続されている。以下、ツェナーダイオードＤ２、Ｄ３のゲート端子がそれぞれ次段のツェナーダイオードＤ３、Ｄ４のカソード端子に接続され、ツェナーダイオードＤ４のゲート端子が接地されている。
【００２９】
さらに、ツェナーダイオードＤ１〜Ｄ４のそれぞれのカソード端子側には出力端子Ｐ１、Ｐ２、Ｐ３、Ｐ４が配設されている。そして、マイコン制御部６０からのバス信号によって出力端子Ｐ１〜Ｐ４のうちのいずれかが選択され、所望の基準電圧を得ることができる。すなわち、図６に示したように、マイコン制御部６０からは最上位ビットＭＳＢ（Ｍｏｓｔ  Ｓｉｇｎｉｆｉｃａｎｔ  Ｂｉｔ）から最下位ビットＬＳＢ（Ｌｅａｓｔ  Ｓｉｇｎｉｆｉｃａｎｔ  Ｂｉｔ）までの５桁のバス信号が出力されることにより、オーディオ部３０用の９Ｖ、チューナ部２０用の９Ｖ、機構駆動部５０用の６Ｖ、表示部４０用の６Ｖ、マイコン制御部６０用の５Ｖのいずれかを選択することができるように構成されている。
【００３０】
図５に示した本実施の形態では、基準電圧源Ｖではバス信号によって出力端子Ｐ３が選択されて、表示部４０用の６Ｖが出力端子Ｖｏｕｔから出力される。出力端子Ｖｏｕｔからの出力に対しアンプブロックＡｍｐ２がレギュレータとしての機能を果たし、アンプブロックＡｍｐ２からの出力は、表示部４０用の６Ｖの電源として用いることが可能となる。
なお、バス信号によって出力端子Ｖｏｕｔから出力される電圧を適宜選択し、チューナ部２０用、オーディオ部３０用、機構駆動部５０用、マイコン制御部６０用のための電源として使用することも可能である。
【００３１】
次に、本実施の形態の音響装置１を４チャンネル出力に適用する場合を説明する。図７は、音響装置１を４チャンネル出力に適用した場合のアンプ回路ＣＨ５の構成を説明する図である。
図７に示すように、アンプ回路ＣＨ５は、３つのアンプブロックＡｍｐ１、Ａｍｐ２、Ａｍｐ３と、可変の基準電圧源Ｖ１と、可変の基準電圧源Ｖ２と、アンプブロックＡｍｐ１とＡｍｐ２との間において、アンプブロックＡｍｐ１とＡｍｐ２との接続と、アンプブロックＡｍｐ２と基準電圧源Ｖ１との接続とのいずれかを選択するスイッチＳＷ１と、アンプブロックＡｍｐ１とＡｍｐ３との間において、アンプブロックＡｍｐ１とＡｍｐ３との接続と、アンプブロックＡｍｐ３と基準電圧源Ｖ２との接続とのいずれかを選択するスイッチＳＷ２とによって主に構成されている。
【００３２】
音響装置１を４チャンネル出力に適用する場合には、アンプ回路ＣＨ５の２つの出力を電源用に用いることができる。したがって、マイコン制御部６０からのバス信号によって、スイッチＳＷ１がアンプブロックＡｍｐ２と基準電圧源Ｖ１とを接続するように設定して、アンプブロックＡｍｐ２の入力端子に可変の基準電圧源Ｖ１を接続して、アンプブロックＡｍｐ２をレギュレータとして使用する。さらに、マイコン制御部６０からのバス信号によって、スイッチＳＷ２がアンプブロックＡｍｐ３と基準電圧源Ｖ２とを接続するように設定して、アンプブロックＡｍｐ３の入力端子に可変の基準電圧源Ｖ２を接続して、アンプブロックＡｍｐ３をレギュレータとして使用するものである。
【００３３】
そして、マイコン制御部６０からのバス信号によって、基準電圧源Ｖ１の出力電圧を表示部４０用の６Ｖに設定して、アンプブロックＡｍｐ２の出力を表示部４０用の電源として使用する。さらに、基準電圧源Ｖ２の出力電圧をバス信号によってチューナ部２０用の９Ｖに設定して、アンプブロックＡｍｐ３の出力をチューナ部２０の電源として使用することができる。
このように、５チャンネル用に設計したアンプＩＣ  １０を４チャンネル用に適用する際にも、増幅器として使用しないアンプ出力を有効利用することができるので、５チャンネル用に設計したアンプＩＣ  １０を４チャンネル用に使用しても無駄のない使用が可能である。特に、アンプ出力は他の電気回路の消費電力に比べ、相対的に大きな設計となるため、レギュレータへの転用は容易であるので、使用されないアンプ出力を有効に活用することができる。
【００３４】
なお、かかる構成のアンプ回路ＣＨ５を５チャンネル用に用いる場合には、マイコン制御部６０からのバス信号によって、スイッチＳＷ２がアンプブロックＡｍｐ３をアンプブロックＡｍｐ１と接続するように設定して、アンプブロックＡｍｐ３の出力をスピーカＳＰ５に接続することが可能である。
また、この際にスピーカＳＰ５から大出力を得るように構成する場合には、さらにマイコン制御部６０からのバス信号によって、スイッチＳＷ１がアンプブロックＡｍｐ２をアンプブロックＡｍｐ１に接続するように設定して、アンプブロックＡｍｐ２の出力をスピーカＳＰ５に接続することも可能である。
【００３５】
次に、本実施の形態の音響装置１の動作について説明する。音響装置１は、ユーザによりオーディオ部３０にＣＤやＭＤ、ＤＶＤ等が装填されると、機構駆動部５０によりこれらの装填が検出されてマイコン制御部６０に通知され、マイコン制御部６０による機構駆動部５０、オーディオ部３０の制御により、このＣＤ等がローディングされてＴＯＣのデータが再生される。さらにこのＴＯＣのデータに従ったマイコン制御部６０による機構駆動部５０、オーディオ部３０の制御により、このＣＤ等からのオーディオ信号や映像信号が再生され、このうちオーディオ信号がアンプＩＣ  １０のアンプ回路ＣＨ１〜ＣＨ５に入力される。
【００３６】
また、ユーザがオーディオ部３０にカセットテープを装填した場合には、同様に、機構駆動部５０によりこれらの装填が検出されてマイコン制御部６０に通知され、マイコン制御部６０による機構駆動部５０、オーディオ部３０の制御により、このカセットテープがローディングされて再生され、その結果得られるオーディオ信号がアンプＩＣ  １０のアンプ回路ＣＨ１〜ＣＨ５に入力される。
また、ユーザがラジオ放送やテレビジョン放送の視聴を指示すると、この指示がマイコン制御部６０により検出されて、このマイコン制御部６０によるチューナ部２０の制御により、所望のチャンネルを受信して得られるオーディオ信号や映像信号のうち、オーディオ信号がアンプＩＣ  １０のアンプ回路ＣＨ１〜ＣＨ５に入力される。
【００３７】
このようにして各種ソースより得られるオーディオ信号は、アンプＩＣ  １０のアンプ回路ＣＨ１〜ＣＨ５に振り分けられ、各アンプ回路ＣＨ１〜ＣＨ５により増幅されてスピーカＳＰ１〜ＳＰ５が駆動される。これにより、この音響装置１では、ユーザの所望するサウンドを聴くことができる。
【００３８】
このように、本実施の形態の音響装置１では、上述したようにオーディオ信号を処理するアンプ回路ＣＨ１〜ＣＨ５と、各種の電源回路１０Ａ〜１０Ｅとを一体化したことにより、部品点数を少なくすることができるとともに、全体構成を簡略化することが可能となる。さらには、電源回路１０Ａ〜１０Ｅから発生する熱の放射を有効に行うことができる。
【００３９】
特に、本実施の形態によれば、大電流、大電力を出力することが可能なアンプをそのままレギュレータとして使用することによって、使用されないアンプ出力を電源として使用することが可能となる。このため、マルチ出力による出力系統の増加に対し、その出力数に合致したアンプＩＣの設計（ラインナップ）が必要であったが、本実施の形態によれば、例えば５チャンネル用のアンプＩＣを一つ設計し、必要数のスピーカにはアンプ出力を信号増幅器として使用し、残りのアンプ出力をレギュレータとして使用することで、全てのアンプ出力を有効利用することができるので、一つの設計で無駄なく全てのマルチ出力に対応させることが可能となる。
なお、本実施の形態では、５チャンネル用について説明したが、同様に６チャンネル用、またはそれ以上のマルチ出力用に対しても適用することができる。
【００４０】
【発明の効果】
以上説明したように、本発明によれば、様々なチャンネル数に対応した出力が可能な音響装置を提供することが可能となる。
【図面の簡単な説明】
【図１】本発明の音響装置を説明する図である。
【図２】アンプＩＣの構造を説明するブロック図である。
【図３】アンプ回路ＣＨ１〜ＣＨ４の構成を説明する基本図である。
【図４】アンプ回路ＣＨ５の構成を説明する図である。
【図５】基準電圧源の構成を説明する図である。
【図６】マイコン制御部からのバス信号を説明する図である。
【図７】アンプ回路ＣＨ５の他の構成を説明する図である。
【符号の説明】
１０…アンプＩＣ、１０Ａ…アンプ用電源回路、１０Ｂ…チューナ用電源回路、１０Ｃ…オーディオ用電源回路、１０Ｄ…マイコン制御部用電源回路、１０Ｅ…機構駆動部用電源回路、２０…チューナ部、３０…オーディオ部、４０…表示部、５０…機構駆動部、６０…マイコン制御部、７０…電源、ＳＰ１，ＳＰ２，ＳＰ３，ＳＰ４，ＳＰ５…スピーカ、ＣＨ１，ＣＨ２，ＣＨ３，ＣＨ４，ＣＨ５…アンプ回路、Ａｍｐ１，Ａｍｐ２，Ａｍｐ３…アンプブロック、ＳＷ，ＳＷ１，ＳＷ２…スイッチ、Ｖ，Ｖ１，Ｖ２…基準電圧源
【図１】
2004297541.tif 000003
【図２】
2004297541.tif 000004
【図３】
2004297541.tif 000005
【図４】
2004297541.tif 000006
【図５】
2004297541.tif 000007
【図６】
2004297541.tif 000008
【図７】
2004297541.tif 000009